(57)【特許請求の範囲】
【請求項１】
天窓を有するキャブに取り付け可能なワイパ装置付開閉ガードであって、
前記ワイパ装置は
前記天窓の表面を掃くためのワイパと、
前記ワイパを回動可能に支持するワイパ駆動部と、を備え、
前記開閉ガードは、
前記キャブに取り付け可能な固定フレームと、
前記固定フレームに対して開いた状態で前記固定フレームに支持された開閉ガード部と、を備え、
前記開閉ガード部は前記固定フレームに対して開閉可能に支持されており、
前記ワイパ装置は前記固定フレーム上に取り付けられている、ワイパ装置付開閉ガード。
【請求項２】
前記固定フレームは、
前記開閉ガード部を前記固定フレームに対して開閉可能に接続する開閉ガード支持部と、
前記開閉ガード部が前記固定フレームに対して閉じた状態で前記開閉ガード部を前記固定フレームに固定可能な開閉ガード固定部と、
前記開閉ガード支持部の取付部と前記開閉ガード固定部の取付部とを有し、前記開閉ガード支持部の前記取付部から前記開閉ガード固定部の前記取付部に渡って延びる連結部とを含む、請求項１に記載のワイパ装置付開閉ガード。
【請求項３】
前記開閉ガード部は、前記開閉ガード部が前記固定フレームに対して閉じた状態で前記ワイパモータの周囲を取り囲む第１の包囲部を含み、
前記固定フレームは、前記ワイパ駆動部の周囲を取り囲む第２の包囲部を含み、
前記閉じた状態で前記第１の包囲部は前記第２の包囲部の外側に配置されている、請求項１または２に記載のワイパ装置付開閉ガード。
【請求項４】
前記ワイパ駆動部は出力軸を含み、
前記出力軸の上部が前記出力軸の下部よりも前記天窓側に位置するように前記出力軸が傾いている、請求項１〜３のいずれか１項に記載のワイパ装置付開閉ガード。
【請求項５】
前記開閉ガード部は、前記開閉ガード部が前記固定フレームに対して閉じた状態で前記ワイパ駆動部の上方に配置された開口部を含む、請求項１〜４のいずれか１項に記載のワイパ装置付開閉ガード。
【請求項６】
請求項１〜５のいずれか１項に記載のワイパ装置付開閉ガードが取り付けられた、建設機械のためのキャブ。
【請求項７】
建設機械のキャブの天窓のためのワイパ装置であって、
前記天窓の表面を掃くためのワイパと、
前記ワイパを回動可能に支持するワイパ駆動部であって、前記ワイパと連結する出力軸と、前記出力軸を回動させるワイパモータと、を備え、前記出力軸と前記ワイパモータとはサブアッセンブリにされ、前記サブアッセンブリは前記キャブ上に取り付け可能とされるワイパ駆動部と、を備え、
前記キャブは前記天窓を保護するための開閉ガードを備え、
前記開閉ガードは、前記キャブに固定して取り付けられた固定フレームと、
前記固定フレームに対して開いた状態で前記固定フレームに支持されており、前記固定フレームに対し開閉可能に支持された開閉ガード部と、を備え、
前記サブアッセンブリは前記固定フレーム上に取り付け可能とされる、
ワイパ装置。
【発明の詳細な説明】
【技術分野】
【０００１】
本発明は、ワイパ装置、ワイパ装置付開閉ガード、およびキャブに関し、特に、天窓を有するキャブに取り付け可能なワイパ装置、そのワイパ装置付開閉ガード、ならびにその開閉ガードを備えた建設機械のためのキャブに関するものである。
【背景技術】
【０００２】
キャブの前方窓にワイパ装置が設けられた建設機械が知られている。たとえば、特開２００３−２６７１９５号公報（特許文献１）には、キャブの前方窓にワイパ装置が設けられた油圧ショベルが提案されている。油圧ショベルでは、作業中に作業機の先端に設けられたバケットがキャブの上方まで持ち上げられる。この状態での作業の視認性を確保するため、キャブに天窓が設けられることがある。
【０００３】
この場合、バケットからこぼれた石などから天窓を保護するための開閉ガードが設けられることがある。この開閉ガードは、固定フレームと、固定フレームに対して開閉可能に支持された開閉ガード部とを有している。固定フレームはキャブに取り付け可能に構成されている。開閉ガード部は、バケットからこぼれた石などを通さず、かつキャブの上方での作業の視認性を確保するための網状部を有している。キャブに固定フレームが取り付けられ、開閉ガード部が固定フレームに対して閉じた状態で、網状部は天窓を覆うように形成されている。
【０００４】
上記の開閉ガードが天窓に設けられた状態でも、天窓には上記網状部の網目を通って雨水およびバケットからこぼれた埃などが付着する。そのため、キャブの天窓にもワイパ装置を設けることが望まれている。
【０００５】
なお、建設機械ではなく車輌のワイパ装置としては、特開平１１−７０８５６号公報（特許文献２）に車輌ルーフのワイパ装置が言及されている。
【先行技術文献】
【特許文献】
【０００６】
【特許文献１】特開２００３−２６７１９５号公報
【特許文献２】特開平１１−７０８５６号公報
【発明の概要】
【発明が解決しようとする課題】
【０００７】
キャブの天窓にワイパ装置を設ける構造としては以下の２つの構造が考えられる。たとえば第１の構造としては、キャブの内部にワイパモータが設けられて、ワイパモータの出力軸がキャブを貫通してキャブの外側でワイパに接続された構造が考えられる。端的に言うと、一般車両のウインドシールドのためのワイパ装置と類似の構造である。一方、天窓のためのワイパ装置は、当初キャブに取り付けられず、後日に取り付けられることが多い。そのため、この第１の構造では、ワイパモータの出力軸を貫通させるための貫通孔をキャブに追加工として設ける必要がある。
【０００８】
また第２の構造としては、開閉可能な開閉ガードにワイパモータおよびワイパが取り付けられた構造が在る。現在、流通している建設機械に用いられている構造である。この第２の構造では、開閉ガードを開いて天窓から離した状態でワイパモータおよびワイパの位置調整を行う必要があるため、当該位置調整が困難である。
【０００９】
本発明は、上記の課題を鑑みてなされたものであり、その目的は、ワイパを天窓に設けるためにキャブに新たな加工や新たな部材を追加する必要がなく、かつワイパの位置調整が容易なワイパ装置、そのワイパ装置を備えた開閉ガードならびにそれを備えた建設機械のキャブを提供することである。
【課題を解決するための手段】
【００１０】
本発明のワイパ装置付開閉ガードは、天窓を有するキャブに取り付け可能であって、ワイパ装置と開閉ガードとを備える。ワイパ装置は、天窓の表面を掃くためのワイパと、そのワイパを回動可能に支持するワイパ駆動部と、を備える。開閉ガードは、キャブに取り付け可能な固定フレームと、固定フレームに対して開いた状態で固定フレームに支持された開閉ガード部と、を備えている。開閉ガード部は固定フレームに対して開閉可能に支持されている。ワイパ駆動部は固定フレーム上に取り付けられている。
【００１１】
本発明のワイパ装置付開閉ガードによれば、ワイパを回動可能に支持するワイパ駆動部が固定フレーム上に取り付けられている。固定フレームは開閉ガード部を支持するためにキャブに取り付けられている。したがって、ワイパを天窓に設けるためにキャブに新たな加工や新たな部材を追加する必要はない。また、キャブに取り付けられた固定フレームにワイパモータが取り付けられているため、天窓から離れない状態でワイパ駆動部およびワイパの位置調整を行うことができる。このため、ワイパの位置調整が容易である。
【００１２】
上記のワイパ装置付開閉ガードにおいては、固定フレームは、開閉ガード部を固定フレームに対して開閉可能に接続する開閉ガード支持部と、開閉ガード部が固定フレームに対して閉じた状態で開閉ガード部を固定フレームに固定可能な開閉ガード固定部と、開閉ガード支持部の取付部と開閉ガード固定部の取付部とを有し、開閉ガード支持部の取付部から開閉ガード固定部の取付部に渡って延びる連結部とを含んでいる。このため、開閉ガード支持部と開閉ガード支持部と連結部とを一体的に組み立てることができる。これにより、固定フレームの位置決めを容易にすることができる。
【００１３】
上記のワイパ装置付開閉ガードにおいては、開閉ガード部は、開閉ガード部が固定フレームに対して閉じた状態でワイパ駆動部の周囲を取り囲む第１の包囲部を含んでいる。固定フレームは、ワイパ駆動部の周囲を取り囲む第２の包囲部を含んでいる。閉じた状態で第１の包囲部は第２の包囲部の外側に配置されている。第１の包囲部および第２の包囲部によって、ワイパ駆動部に雨水が付着することを抑制することができる。また、開閉ガード部が固定フレームに対して閉じた状態で第１の包囲部が第２の包囲部の外側に配置されているため、第１の包囲部の表面に付着した雨水が第２の包囲部の表面を通ってワイパ駆動部に付着することを抑制することができる。これにより、ワイパ装置付開閉ガードの防水性を向上することができる。
【００１４】
上記のワイパ装置付開閉ガードにおいては、ワイパ駆動部は出力軸を含んでいる。出力軸の上部が出力軸の下部よりも天窓側に位置するように出力軸が傾いている。これにより、ワイパモータの出力軸が天窓に対して傾斜した状態で、出力軸にワイパが接続されているため、ワイパを天窓に対して斜めに押し当てることができる。このため、ワイパが天窓を押す力を強くすることができる。
【００１５】
上記のワイパ装置付開閉ガードにおいては、開閉ガード部は、開閉ガード部が固定フレームに対して閉じた状態でワイパ駆動部の上方に配置された開口部を含んでいる。このため、開閉ガード部が固定フレームに対して閉じた状態で開口部からワイパ駆動部を視認することができる。これにより、ワイパ駆動部の位置を正確に確認することができる。
【００１６】
本発明のキャブによれば、上記のワイパ装置付開閉ガードが取り付けられている。このためワイパを天窓に設けるためにキャブに新たな加工や新たな部材を追加する必要はない。また、ワイパの位置調整が容易である。
【００１７】
本発明の建設機械のキャブの天窓のためのワイパ装置は、ワイパと、ワイパ駆動部と、を備える。ワイパは天窓の表面を掃く。ワイパ駆動部は、そのワイパを回転可能に支持する。ワイパ駆動部は、サブアッセンブリにされた出力軸とワイパモータとを備える。出力軸はワイパと連結する。ワイパモータは、その回転軸を回動させる。サブアッセンブリは、キャブ上に取り付け可能とされる。そのサブアッセンブリがキャブが備える天窓保護のための開閉ガードの固定フレーム上に取り付け可能である。ここで、開閉ガードは、キャブに固定して取り付けられた固定フレームと、固定フレームに対して開いた状態で固定フレームに支持されており、固定フレームに対し開閉可能に支持された開閉ガード部と、を備える。
【００１８】
上記のワイパ装置は、ワイパの駆動源を含むサブアッセンブリをキャブ上に取り付け可能なので、ワイパ装置を後付けする際に、キャブに新たな加工や新たな部材を追加する必要が無く、天窓に対する位置調整が容易である。
【発明の効果】
【００１９】
以上説明したように、本発明によれば、ワイパを天窓に設けるためにキャブに新たな加工や新たな部材を追加する必要がなく、かつワイパの位置調整を容易にすることができる。
【図面の簡単な説明】
【００２０】
【図１】本発明の一実施の形態における油圧ショベルの構成を概略的に示す斜視図である。
【図２】図１の油圧ショベルのキャブを示す拡大図である。
【図３】本発明の一実施の形態におけるワイパ付開閉ガードがキャブに取り付けられた状態を概略的に示す斜視図であって、開閉ガード部が固定フレームに対して閉じた状態を示す図である。
【図４】本発明の一実施の形態におけるワイパ付開閉ガードがキャブに取り付けられた状態を概略的に示す斜視図であって、開閉ガード部が固定フレームに対して開いた状態を示す図である。
【図５】本発明の一実施の形態におけるワイパ付開閉ガードの構成を概略的に示す分解斜視図である。
【図６】図４のＶＩ−ＶＩ線に沿う断面図である。
【図７】本発明の一実施の形態の変形例１におけるワイパ付開閉ガードがキャブに取り付けられた状態を概略的に示す斜視図であって、開閉ガード部が固定フレームに対して閉じた状態を示す図である。
【図８】図８のワイパモータ周辺の部材を示す拡大図である。
【図９】図８のＩＸ−ＩＸ線に沿う部分断面図である。
【図１０】本発明の一実施の形態の変形例２におけるワイパ付開閉ガードがキャブに取り付けられた状態を概略的に示す斜視図である。
【発明を実施するための形態】
【００２１】
以下、本発明の実施の形態について図に基づいて説明する。
まず本発明の一実施の形態における建設機械の構成について説明する。以下、本発明の思想を適用可能な建設機械の一例である油圧ショベルについて説明するが、本発明は天窓を有するキャブを備えた建設機械に適用可能である。
【００２２】
図１を参照して、油圧ショベル１は、下部走行体２と、上部旋回体３と、作業機４と、ワイパ装置付開閉ガード１０とを主に備えている。下部走行体２は左右一対の履帯２ａが回転駆動することにより自走可能に構成されている。上部旋回体３は下部走行体２に旋回自在に設置されている。作業機４は、上部旋回体３の前方側に起伏自在に軸支されている。この作業機４は、ブーム４ａ、アーム４ｂ、バケット４ｃ、油圧シリンダ４ｄなどを有している。
【００２３】
上記の下部走行体２と上部旋回体３とで、作業車両本体が主に構成される。上部旋回体３は、前方左側（車両前側）にキャブ５を有し、後方側（車両後側）にエンジンを収納するエンジンルーム６や、カウンタウェイト７を有している。なお、本実施の形態では、車両の前後・左右は、キャブ５内に着座するオペレータを基準としている。キャブ５にはワイパ装置付開閉ガード１０が取り付けられている。
【００２４】
図２を参照して、キャブ５は、天窓５ａと、天板５ｂと、ピラー５ｃと、前方窓５ｄと、ドア５ｅと、前方窓用ワイパ５ｆとを主に有している。キャブ５の屋根部分には天窓５ａを有する天板５ｂが配置されている。天窓５ａはキャブ５の前方側に配置されている。
【００２５】
ピラー５ｃはキャブ５の屋根部分とフロア部分との間を上下方向に延びており、かつフロア部分に対して屋根部分を支えている。キャブ５の前方側にはピラー５ｃに挟まれて前方窓５ｄが配置されている。キャブ５の左側方側にはピラー５ｃに挟まれてドア５ｅが配置されている。前方窓用ワイパ５ｆは前方窓５ｄの表面を清掃可能にピラー５ｃに支持されている。
【００２６】
ワイパ装置付開閉ガード１０は、天窓５ａを覆うように天板５ｂに取り付けられている。ワイパ装置付開閉ガード１０はキャブ５の前方側に配置されている。ワイパ装置付開閉ガード１０はキャブ５の屋根部分から前面部分の上端部に沿うよう形成されている。
【００２７】
続いて、図３〜図６を参照して、本実施の形態のワイパ装置付開閉ガードの構成について詳しく説明する。ワイパ装置付開閉ガード１０は、キャブ５に取り付け可能に構成されている。主に図３および図４を参照して、ワイパ装置付開閉ガード１０は、固定フレーム１１と、開閉ガード部１２と、ワイパ装置１５とを主に有している。ワイパ装置１５は、ワイパ１３と、ワイパ駆動部１４とを主に有している。ワイパ駆動部１４は、ワイパモータ１４ｃと、出力軸１４ｄとを主に有している。
【００２８】
固定フレーム１１はキャブ５に取り付け可能に構成されている。固定フレーム１１は、開閉ガード支持部１１ａと、開閉ガード固定部１１ｂと、連結部１１ｃとを有している。
【００２９】
開閉ガード支持部１１ａは開閉ガード部１２を固定フレーム１１に対して開閉可能に接続している。開閉ガード支持部１１ａは天板５ｂの前後方向に延びるように形成されている。開閉ガード支持部１１ａは天板５ｂの右端に配置されている。開閉ガード支持部１１ａはヒンジ部１１ａ１を有している。ヒンジ部１１ａ１は開閉ガード支持部１１ａの上端で開閉ガード部１２に接続されている。ヒンジ部１１ａ１によって開閉ガード支持部１１ａと開閉ガード部１２とは開閉可能に接続されている。
【００３０】
開閉ガード固定部１１ｂは開閉ガード部１２が固定フレーム１１に対して閉じた状態で開閉ガード部１２を固定フレーム１１に固定可能に構成されている。開閉ガード固定部１１ｂは天板５ｂの前後方向に延びるように形成されている。開閉ガード固定部１１ｂは天板５ｂの左端に配置されている。
【００３１】
連結部１１ｃは、開閉ガード支持部１１ａの取付部と開閉ガード固定部１１ｂの取付部とを有している。連結部１１ｃは、開閉ガード支持部１１ａの取付部から開閉ガード固定部１１ｂの取付部に渡って延びている。連結部１１ｃは天板５ｂの左右方向に延びるように形成されている。開閉ガード支持部１１ａの後端部に連結部１１ｃの開閉ガード支持部１１ａの取付部が接続されており、開閉ガード固定部１１ｂの後端部に連結部１１ｃの開閉ガード固定部１１ｂの取付部が接続されている。連結部１１ｃは天窓５ａの後方端部に沿って配置されている。連結部１１ｃは載置部１１ｃ１を有している。載置部１１ｃ１は前方に向かって高さが低くなるように傾斜している。
【００３２】
開閉ガード部１２は固定フレーム１１に対して開閉可能に支持されている。開閉ガード部１２は、板状部１２ａと、網状部１２ｂと、開口部１２ｃと、蓋部１２ｄと、矩形状脚部１２ｅと、円柱状脚部１２ｆと、ハンドル１２ｇとを有している。板状部１２ａの前方に網状部１２ｂが設けられている。網状部１２ｂは天窓５ａの上方に配置されており、天窓５ａの表面Ｓを覆うように形成されている。開口部１２ｃは板状部１２ａの中央部に形成されている。開口部１２ｃを覆うように蓋部１２ｄが設けられている。
【００３３】
矩形状脚部１２ｅは、開閉ガード部１２の下方に突出するように形成されている。矩形状脚部１２ｅは、開閉ガード部１２が固定フレーム１１に対して閉じた状態で開閉ガード支持部１１ａの上面に接する底面部を有している。円柱状脚部１２ｆは、開閉ガード部１２の下方に突出するように形成されている。ハンドル１２ｇは開閉ガード部１２の左側の後端に配置されている。使用者はハンドル１２ｇをつかんで開閉ガード部１２を固定フレーム１１に対して開閉することができる。
【００３４】
天窓５ａの表面Ｓを掃くためのワイパ１３は、ワイパアーム１３ａと、ワイパブレード１３ｂとを有している。ワイパアーム１３ａの先端にワイパブレード１３ｂが接続されている。ワイパ１３は、図中矢印Ｒ方向にワイパアーム１３ａが回動することで、図中矢印Ｒ方向にワイパブレード１３ｂが天窓５ａの表面を掃くように形成されている。
【００３５】
ワイパ駆動部１４はワイパ１３を回動可能に支持している。ワイパ駆動部１４はキャブ５上に固設される固定フレーム１１に取り付けられている。具体的には、ワイパ駆動部１４は、後述の筐体１４ａに取り付けられてサブアッセンブリとされる。このサブアッセンブリが、連結部１１ｃの載置部１１ｃ１に載置された状態で固定フレーム１１にボルト部材により取り付けられている。ワイパ駆動部１４は開閉ガード部１２の板状部１２ａで覆われている。ワイパ駆動部１４の一部は、板状部１２ａの開口部１２ｃの下方に配置されている。
【００３６】
ワイパ駆動部１４は、その外面に、筐体１４ａと、支持部１４ｂとを有している。支持部１４ｂは筐体１４ａの左側側面において外方に突出するように形成されている。支持部１４ｂは、開閉ガード部１２が固定フレーム１１に対して閉じた状態で、開閉ガード部１２の円柱状脚部１２ｆを支持するように形成されている。
【００３７】
主に図３および図５を参照して、開閉ガード部１２が固定フレーム１１に対して閉じた状態で、開閉ガード部１２は、ねじ部材２１によって開閉ガード固定部１１ｂに固定されており、ねじ部材２２によって支持部１４ｂに固定されている。これにより、開閉ガード部１２を固定フレーム１１に対して閉じた状態で固定することができる。
【００３８】
開口部１２ｃは、開閉ガード部１２が固定フレーム１１に対して閉じた状態でワイパ駆動部１４の上方に配置されている。そのため、開閉ガード部１２が固定フレーム１１に固定された状態でワイパ駆動部１４の位置を開口部１２ｃから視認することができる。
【００３９】
開閉ガード支持部１１ａは、ねじ部材２３およびねじ部材２４によって天板５ｂに固定されている。開閉ガード固定部１１ｂはねじ部材２４およびねじ部材２５によって天板５ｂに固定されている。
【００４０】
主に図４および図６を参照して、ワイパ駆動部１４は、ワイパモータ１４ｃと、出力軸１４ｄとを有している。ワイパ駆動部１４の筐体１４ａの内部空間にワイパモータ１４ｃが配置されている。ワイパモータ１４ｃに出力軸１４ｄが接続されている。出力軸１４ｄにワイパアーム１３ａが接続されている。出力軸１４ｄは、リンク機構を備えてワイパモータ１４ｃの出力軸の回転が変換されて、搖動する。その駆動力によって出力軸１４ｄが回動することでワイパアーム１３ａおよびワイパブレード１３ｂが回動する。
【００４１】
出力軸１４ｄは、出力軸１４ｄの上部１４ｄ１が出力軸１４ｄの下部１４ｄ２よりも天窓５ａ側に位置するように傾いている。つまり、ワイパ装置付開閉ガード１０をキャブ５に取り付けた状態において、出力軸１４ｄは前方に向かって傾斜している。このため、出力軸１４ｄに接続されたワイパアーム１３ａは天窓５ａに対して斜めに延びている。そして、ワイパアーム１３ａに接続されたワイパブレード１３ｂは天窓５ａに対して斜めに押し当てられる。
【００４２】
次に、本実施の形態の変形例１および２について説明する。
まず、図７〜図９を参照して、本実施の形態の変形例１について説明する。本実施の形態の変形例１では、開閉ガード部１２は、第１の包囲部Ｓ１を有している。固定フレーム１１は第２の包囲部Ｓ２を有している。なお、図８では見やすくするため第１の包囲部Ｓ１および第２の包囲部Ｓ２は実線で示されている。
【００４３】
第１の包囲部Ｓ１は、開閉ガード部１２の板状部１２ａの下面から下方に延びる第１壁部Ｓ１ａを有している。第２の包囲部Ｓ２は固定フレーム１１の載置部１１ｃ１の上面から上方に延びる第２壁部Ｓ２ａを有している。
【００４４】
開閉ガード部１２の第１の包囲部Ｓ１は、開閉ガード部１２が固定フレーム１１に対して閉じた状態でワイパ駆動部１４の周囲を取り囲んでいる。固定フレーム１１の第２の包囲部Ｓ２はワイパ駆動部１４の周囲を取り囲んでいる。開閉ガード部１２が閉じた状態で第１の包囲部Ｓ１は第２の包囲部Ｓ２の外側に配置されている。
【００４５】
第１の包囲部Ｓ１と第２の包囲部Ｓ２とはオーバーラップしている。つまり、第１壁部Ｓ１ａと第２壁部Ｓ２ａとが延びる方向と交差する方向から見て、第１の包囲部Ｓ１と第２の包囲部Ｓ２とは互いの先端部が重なり合っている。なお、第１の包囲部Ｓ１は第１壁部Ｓ１ａに形成された開口ＯＰを有している。開口ＯＰにはワイパ１３が挿通されている。
【００４６】
続いて、本実施の形態の変形例２について説明する。再び図１と、図１０とを参照して、本実施の形態の変形例２では、ワイパ駆動部１４は開閉ガード固定部１１ｂに取り付けられている。つまり、ワイパ駆動部１４はキャブ５の屋根部分において左側に配置されている。図１に示すように作業機４はキャブ５の右側に配置されているため、ワイパモータ１４はキャブ５の屋根部分において作業機４と反対側に配置されている。
【００４７】
ワイパ駆動部１４がキャブ５の屋根部分において作業機４側（右側）に配置されていると、天窓５ａから作業機４を見る際に、ワイパ駆動部１４によって視界がさえぎられることで作業機４が見えにくくなることがある。本実施の形態の変形例２では、ワイパ駆動部１４が作業機４と反対側に配置されているため、ワイパ駆動部１４によって視界がさえぎられることで作業機４が見えにくくはならない。したがって、作業の視認性を確保することができる。
【００４８】
次に、本実施の形態の作用効果について説明する。
本実施の形態のワイパ装置付開閉ガード１０によれば、ワイパ１３を回動可能に支持するワイパ駆動部１４が固定フレーム１１上に取り付けられている。固定フレーム１１は開閉ガード部１２を支持するためにキャブ５に取り付けられている。したがって、ワイパ１３をキャブ５の天窓５ａに設けるためにキャブ５に新たな加工や新たな部材を追加する必要はない。また、キャブ５に取り付けられた固定フレーム１１にワイパ駆動部１４が取り付けられているため、天窓５ａから離れない状態でワイパ駆動部１４およびワイパ１３の位置調整を行うことができる。このため、ワイパ１３の位置調整が容易である。
【００４９】
本実施の形態のワイパ装置付開閉ガード１０においては、開閉ガード支持部１１ａと開閉ガード固定部１１ｂとが連結部１１ｃによって連結されている。このため、開閉ガード支持部１１ａと開閉ガード固定部１１ｂと連結部１１ｃとを一体的に組み立てることができる。これにより、固定フレーム１１の位置決めを容易にすることができる。
【００５０】
本実施の形態のワイパ装置付開閉ガード１０においては、開閉ガード部１２の第１の包囲部Ｓ１および固定フレーム１１の第２の包囲部Ｓ２によって、ワイパ駆動部１４に雨水が付着することを抑制することができる。また、開閉ガード部１２が固定フレーム１１に対して閉じた状態で第１の包囲部Ｓ１が第２の包囲部Ｓ２の外側に配置されているため、第１の包囲部Ｓ１の表面に付着した雨水が第２の包囲部Ｓ２の表面を通ってワイパ駆動部１４に付着することを抑制することができる。これにより、ワイパ装置付開閉ガード１０の防水性を向上することができる。
【００５１】
本実施の形態のワイパ装置付開閉ガード１０においては、出力軸１４ｄの上部１４ｄ１が出力軸１４ｄの下部よりも天窓５ａ側に位置するように出力軸１４ｄが傾いている。これにより、ワイパ駆動部１４の出力軸１４ｄが天窓５ａに対して傾斜した状態で、出力軸１４ｄにワイパ１３が接続されているため、ワイパ１３を天窓５ａに対して斜めに押し当てることができる。このため、ワイパ１３が天窓５ａを押す力を強くすることができる。
【００５２】
本実施の形態のワイパ装置付開閉ガード１０においては、開閉ガード部１２は、開閉ガード部１２が固定フレーム１１に対して閉じた状態でワイパ駆動部１４の上方に配置された開口部１２ｃを含んでいる。このため、開閉ガード部１２が固定フレーム１１に対して閉じた状態で開口部１２ｃからワイパモータ１４を視認することができる。これにより、ワイパモータ１４の位置を正確に確認することができる。
【００５３】
本実施の形態のキャブ５によれば、上記のワイパ装置付開閉ガード１０が取り付けられているため、ワイパ１３を天窓５ａに設けるためにキャブ５に新たな加工や新たな部材を追加する必要がない。また、ワイパ１３の位置調整が容易である。
【００５４】
本実施の形態のワイパ装置１５は、ワイパ１３の駆動源を含むサブアッセンブリをキャブ５上に取り付け可能なので、ワイパ装置１５を後付けする際に、キャブ５に新たな加工や新たな部材を追加する必要が無く、サブアッセンブリがキャブ５が備える天窓保護のための開閉ガードの固定フレーム１１上に取り付け可能であるため、天窓５ａに対する位置調整が容易である。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００５６】
本発明は、天窓を有するキャブに取り付け可能なワイパ装置付開閉ガードならびにそれを備えたキャブおよび建設機械に特に有利に適用され得る。
【符号の説明】
【００５７】
１  油圧ショベル、２  下部走行体、２ａ  履帯、３  上部旋回体、４  作業機、４ａ  ブーム、４ｂ  アーム、４ｃ  バケット、４ｅ  油圧シリンダ、５  キャブ、５ａ  天窓、５ｂ  天板、５ｃ  ピラー、５ｄ  前方窓、５ｅ  ドア、５ｆ  前方窓用ワイパ、６  エンジンルーム、７  カウンタウェイト、１０  ワイパ付開閉ガード、１１  固定フレーム、１１ａ  開閉ガード支持部、１１ｂ  開閉ガード固定部、１１ｃ  連結部、１２  開閉ガード部、１２ａ  板状部、１２ｂ  網状部、１２ｃ  開口部、１３  ワイパ、１３ａ  ワイパアーム、１３ｂ  ワイパブレード、１４  ワイパモータ、１４ａ  筐体、１４ｂ  支持部、１４ｃ  モータ本体、１４ｄ  出力軸、１４ｄ１  上部、１４ｄ２  下部、１５  ワイパ装置、Ｓ  表面、Ｓ１  第１の包囲部、Ｓ２  第２の包囲部。
【要約】
【課題】ワイパを天窓に設けるためにキャブに新たな加工や新たな部材を追加する必要がなく、かつワイパの位置調整が容易なワイパ付き開閉ガードならびにそれを備えたキャブおよび建設機械を提供する。
【解決手段】ワイパ装置付開閉ガード１０は、天窓５ａを有するキャブ５に取り付け可能である。ワイパ装置は天窓５ａの表面Ｓを掃くためのワイパ１３と、ワイパ１３を回動可能に支持するワイパ駆動部１４とを備えている。開閉ガードは、キャブ５に取り付け可能な固定フレーム１１と、固定フレーム１１に支持された開閉ガード部１２とを備えている。開閉ガード部１２は固定フレーム１１に対して開閉可能に支持されている。ワイパ装置は固定フレーム１１上に取り付けられている。
【選択図】図４【図１】
0005393850.tif 000002
【図２】
0005393850.tif 000003
【図３】
0005393850.tif 000004
【図４】
0005393850.tif 000005
【図５】
0005393850.tif 000006
【図６】
0005393850.tif 000007
【図７】
0005393850.tif 000008
【図８】
0005393850.tif 000009
【図９】
0005393850.tif 000010
【図１０】
0005393850.tif 000011